(57)【要約】  接続検出装置であって、音響処理装置に接続されるべき機器の接続態様に関する設定を取得する取得部と、前記音響処理装置に実際に接続された機器の接続態様を検出する検出部と、前記検出部が検出した実際の接続態様、及び前記取得部が取得した設定に示す接続態様、の相違を判断する判断部と、を備えることを特徴とする。
2015182597.tif 000002
【特許請求の範囲】
【請求項１】
互いに通信する接続検出装置、及び情報処理装置、からなる接続確認システムであって、
前記情報処理装置は、前記接続検出装置に接続されるべき機器の接続態様に関する設定入力を受け付ける受付部、を備え、
前記接続検出装置は、実際に接続された機器の接続態様を検出する検出部、を備え、
前記検出部が検出した実際の接続態様、及び前記受付部で受け付けられた設定に示す接続態様、の相違を判断する判断部、を前記接続検出装置又は前記情報処理装置に備え、
前記情報処理装置は、前記判断部の判断結果に基づいて表示を行う表示部、を備える、
接続確認システム。
【請求項２】
情報処理装置に実行される接続確認プログラムであって、
接続検出装置に接続されるべき機器の接続態様に関する設定入力を受け付ける受付ステップと、
前記接続検出装置が自装置に実際に接続された機器の接続態様を検出した結果である検出結果を取得する取得ステップと、
前記受付ステップで受け付けた設定に示す接続態様、及び前記取得ステップで取得した実際の接続態様、の相違を判断する判断ステップと、
前記判断ステップの判断結果に基づいて表示を行う表示ステップと、
を前記情報処理装置に実行させる接続確認プログラム。
【請求項３】
接続検出装置、及び情報処理装置を用いて実行する接続確認方法であって、
前記接続検出装置に接続されるべき機器の接続態様に関する設定入力を前記情報処理装置に受け付ける受付ステップと、
前記接続検出装置に実際に接続された機器の接続態様を検出する検出ステップと、
前記受付ステップが受け付けた設定に示す接続態様、及び前記検出ステップが検出した実際の接続態様、の相違を判断する判断ステップと、
前記判断ステップの判断結果に基づいて表示を行う表示ステップと、
を実行する接続確認方法。
【請求項４】
音響処理装置に接続されるべき機器の接続態様に関する設定を取得する取得部と、
前記音響処理装置に実際に接続された機器の接続態様を検出する検出部と、
前記検出部が検出した実際の接続態様、及び前記取得部が取得した設定に示す接続態様、の相違を判断する判断部と、
を備えた接続検出装置。
【請求項５】
前記実際の接続態様に基づいて、前記接続態様に関する設定を変更することを特徴とする請求項４記載の接続検出装置。
【請求項６】
前記判断部が、前記検出部が検出した実際の接続態様と前記取得部が取得した設定に示す接続態様とが相違すると判断した場合に、前記接続態様に関する設定の変更の可否を判断することを特徴とする請求項４記載の接続検出装置。
【請求項７】
前記接続態様に関する設定の変更が可能と判断した場合に、前記接続態様に関する設定を変更することを特徴とする請求項６記載の接続検出装置。
【請求項８】
前記接続検出装置は、更に、前記判断部の判断結果に基づいて表示を行う表示部を含むことを特徴とする請求項４乃至７のいずれかに記載の接続検出装置。
【請求項９】
前記接続検出装置は、前記音響処理装置に含まれることを特徴とする請求項４乃至８のいずれかに記載の接続検出装置。
【請求項１０】
前記接続検出装置は、携帯端末であることを特徴とする請求項４乃至８のいずれかに記載の接続検出装置。
【請求項１１】
前記音響処理装置は、チャンネル毎にオーディオ信号をスピーカに出力する音響処理装置であり、
前記接続態様は、前記音響処理装置と前記スピーカとの接続の態様であり、
前記検出部は、前記スピーカにテスト音のオーディオ信号を出力し、マイクで前記テスト音を収音することにより、各チャンネル及び各スピーカの実際の接続態様を検出する、
請求項４に記載の接続検出装置。
【請求項１２】
前記取得部は、前記接続検出装置に間接的に接続されるべき機器の接続態様に関する設定を情報処理装置から取得し、
前記検出部は、前記接続検出装置に間接的に実際に接続された機器の接続態様を検出し、
前記判断部は、前記取得部が取得した設定に示す間接的に接続されるべき機器の接続態様、及び前記検出部が検出した前記接続検出装置に間接的に実際に接続された機器の接続態様、の相違を判断する、
請求項４又は請求項１１に記載の接続検出装置。
【請求項１３】
前記接続検出装置と前記機器の接続は、無線通信により行われることを特徴とする請求項１記載の接続確認システム。
【発明の詳細な説明】
【技術分野】
【０００１】
本発明は、接続確認システム、接続確認プログラム、接続確認方法、及び接続検出装置に関する。
【背景技術】
【０００２】
従来、自装置に接続された機器を検出することが提案されている。例えば、特許文献１に示す音響処理装置は、スピーカにテスト音を出力させ、出力されたテスト音をマイクで収音することにより、自装置に実際に接続されたスピーカを検出している。【０００３】
特許文献１（特開２００６−１７４０９４号公報）に示す音響処理装置は、自装置に実際に接続された機器の接続態様に応じて、自装置の接続設定を自動的に補正している。より具体的には、特許文献１に示す音響処理装置は、例えば、自装置にフロントＬ／Ｒスピーカ及びサラウンドＬ／Ｒスピーカのみが接続されていた場合、それらフロントＬ／Ｒスピーカ及びサラウンドＬ／Ｒスピーカを検出し、未接続スピーカ（例えばＣチャンネル用スピーカ）の設定を無効にする等、各種設定を自動的に補正している。
【発明の概要】
【発明が解決しようとする課題】
【０００４】
しかしながら、特許文献１に示す音響処理装置は、実際の接続態様のみに基づいて設定を自動的に補正しているため、補正後の接続態様が利用者の所望とする接続態様に一致しない場合がある。【０００５】
例えば、利用者がサラウンドバックスピーカを含めた７チャンネルのサラウンドサウンド（ＦＬ，ＦＲ，Ｃ，ＳＬ，ＳＲ，ＳＢＬ，及びＳＢＲチャンネル）で音場を生成することを望んでいる場合がある。この場合、利用者がサラウンドバックスピーカを誤って音響処理装置のプレゼンススピーカ用コネクタに接続すると、音響処理装置は、プレゼンススピーカが接続されていると検出し、利用者の設定意図に反してプレゼンススピーカを含めた７チャンネルのサラウンドサウンド（ＦＬ，ＦＲ，Ｃ，ＳＬ，ＳＲ，ＰＬ，及びＰＲチャンネル）で音場を生成する。【０００６】
すなわち、この例においては、音響処理装置は、接続されたスピーカの構成が実現不可能な構成（例えば、ＦＬスピーカとＳＬスピーカのみからなる構成）でない限りにおいて、プレゼンススピーカを含めた接続設定で自動的に音場を生成する。従って、このような音響処理装置は、検出した各スピーカから音を出力させるが、プレゼンススピーカの設置位置から出力されるべき音をサラウンドバックスピーカの設置位置から出力することとなる。その結果、利用者は、所望とする接続態様と実際の接続態様との相違に気が付かない限り、所望の音響効果を得ることができない。【０００７】
そこで、本発明は、主に、接続された機器の接続態様について、利用者が所望とする接続態様との相違を検出し、報知することができる接続確認システム、接続確認プログラム、接続確認方法、及び接続検出装置を提供することを目的とする。
【課題を解決するための手段】
【０００８】
本発明における接続確認システムは、互いに通信する接続検出装置、及び情報処理装置、からなる接続確認システムであって、前記情報処理装置は、前記接続検出装置に接続されるべき機器の接続態様に関する設定入力を受け付ける受付部、を備え、前記接続検出装置は、実際に接続された機器の接続態様を検出する検出部、を備え、前記検出部が検出した実際の接続態様、及び前記受付部で受け付けられた設定に示す接続態様、の相違を判断する判断部、を前記接続検出装置又は前記情報処理装置に備え、前記情報処理装置は、前記判断部の判断結果に基づいて表示を行う表示部、を備える、ことを特徴とする。【０００９】
本発明における接続確認プログラムは、情報処理装置に実行される接続確認プログラムであって、接続検出装置に接続されるべき機器の接続態様に関する設定入力を受け付ける受付ステップと、前記接続検出装置が自装置に実際に接続された機器の接続態様を検出した結果である検出結果を取得する取得ステップと、前記受付ステップで受け付けた設定に示す接続態様、及び前記取得ステップで取得した実際の接続態様、の相違を判断する判断ステップと、前記判断ステップの判断結果に基づいて表示を行う表示ステップと、を前記情報処理装置に実行させることを特徴とする。【００１０】
本発明における接続確認方法は、接続検出装置、及び情報処理装置を用いて実行する接続確認方法であって、前記接続検出装置に接続されるべき機器の接続態様に関する設定入力を前記情報処理装置に受け付ける受付ステップと、前記接続検出装置に実際に接続された機器の接続態様を検出する検出ステップと、前記受付ステップが受け付けた設定に示す接続態様、及び前記検出ステップが検出した実際の接続態様、の相違を判断する判断ステップと、前記判断ステップの判断結果に基づいて表示を行う表示ステップと、を実行することを特徴とする。【００１１】
本発明における接続検出装置は、音響処理装置に接続されるべき機器の接続態様に関する設定を取得する取得部と、前記音響処理装置に実際に接続された機器の接続態様を検出する検出部と、前記検出部が検出した実際の接続態様、及び前記取得部が取得した設定に示す接続態様、の相違を判断する判断部と、を備えることを特徴とする。
【図面の簡単な説明】
【００１２】
【図１】実施形態１に係る接続確認システムの構成の一部を示したブロック図である。
【図２】実施形態１に係るＡＶレシーバ及び携帯端末の機能ブロック図である。
【図３】（Ａ）は携帯端末の動作を示すフローチャートであり、（Ｂ）はＡＶレシーバの動作を示すフローチャートである。
【図４】（Ａ）は、利用者の接続例を説明するための出力部及び各スピーカの接続を示す図であり、（Ｂ）は、携帯端末の表示例を示す図である。
【図５】（Ａ）は、利用者の接続例を説明するための出力部及び各スピーカの接続を示す図であり、（Ｂ）は、携帯端末の表示例を示す図である。
【図６】（Ａ）は、利用者の接続例を説明するための入力部及び各コンテンツ再生装置の接続を示す図であり、（Ｂ）は、携帯端末の表示例を示す図である。
【図７】実施形態２に係る接続確認システムの構成の一部を示したブロック図である。
【図８】（Ａ）は、スピーカ配置を説明するための出力部及び各スピーカの接続を示す図であり、（Ｂ）は、聴取環境における各スピーカの配置を説明するための聴取環境の平面模式図である。
【図９】携帯端末の表示例を示す図である。
【図１０】実施形態３に係る接続確認システムの構成の一部を示したブロック図である。
【図１１】実施形態３に係るＡＶレシーバ及び携帯端末の機能ブロック図である。
【図１２】実施形態１の第１の変形例について説明するための図である。
【図１３】推奨接続情報の一例を示す図である。
【図１４】本体設定情報の一例を示す図である。
【図１５】実施形態１の第２の変形例について説明するための図である。
【図１６】実施形態１の第２の変形例について説明するための図である。
【図１７】実施形態２の変形例について説明するための図である。
【発明を実施するための形態】
【００１３】
実施形態１に係る接続確認システム９００について、図１、図２、図３（Ａ）、及び図３（Ｂ）を用いて説明する。図１は、接続確認システム９００の構成の一部を示したブロック図である。図２は、ＡＶレシーバ１００及び携帯端末４００の機能ブロック図である。図３（Ａ）は携帯端末４００の動作を示すフローチャートであり、図３（Ｂ）はＡＶレシーバ１００の動作を示すフローチャートである。
【００１４】
まず、接続確認システム９００の概要について説明する。接続確認システム９００では、利用者は、ＡＶレシーバ１００に接続されるべき機器の接続態様について、携帯端末４００に設定の操作入力を行う。そして、ＡＶレシーバ１００は、自装置に実際に接続された機器を検出することによって求めた実際の接続態様、及び利用者によって設定された接続態様、の相違を判断する。携帯端末４００は、その判断結果に基づいた表示を行う。これにより、実施形態１に係る接続確認システム９００は、実際の接続に誤りがあるのか否かを利用者に確認させて、利用者の所望通りのＡＶレシーバ１００の接続態様にするものである。
【００１５】
図１に示すように、接続確認システム９００は、ＡＶレシーバ１００、複数のコンテンツ再生装置２００、複数のスピーカ３００、及び携帯端末４００を備えている。ＡＶレシーバ１００は、本発明の接続検出装置に相当する。なお、図１において、物理的なケーブル及び内部配線を介した信号及び情報の送受信を実線に示し、無線通信による情報の送受信を点線に示している。
【００１６】
ＡＶレシーバ１００は、入力部１０１、ＤＳＰ（；Ｄｉｇｉｔａｌ  Ｓｉｇｎａｌ  Ｐｒｏｃｅｃｃｏｒ）１０２、ＣＰＵ１０３、メモリ１０４、出力部１０５、及びＲＦＩＣ（；Ｒａｄｉｏ  Ｆｒｅｑｕｅｎｃｙ  Ｉｎｔｅｇｒａｔｅｄ  Ｃｉｒｃｕｉｔ）１０６を備えている。
【００１７】
入力部１０１は、各コンテンツ再生装置２００からコンテンツデータを受信して、当該コンテンツデータから抽出されるオーディオ信号をＤＳＰ１０２に出力する。また、入力部１０１は、マイク１０７からの収音信号が入力される。
【００１８】
複数のコンテンツ再生装置２００として、本実施形態では、ＢＤ（Ｂｌｕ−Ｒａｙ  Ｄｉｓｃ。）プレーヤ２０１、ＰＣ（；Ｐｅｒｓｏｎａｌ  Ｃｏｍｐｕｔｅｒ）２０２、及びビデオカメラ２０３がＡＶレシーバ１００の入力部１０１に接続されている。各コンテンツ再生装置２００は、ＨＤＭＩケーブルを介してＡＶレシーバ１００のＨＤＭＩコネクタに接続されている。ただし、Ｂｌｕ−Ｒａｙ  Ｄｉｓｃは、登録商標である。また、ＨＤＭＩは、登録商標であり、Ｈｉｇｈ  Ｄｅｆｉｎｉｔｉｏｎ  Ｍｕｌｔｉｍｅｄｉａ  Ｉｎｔｅｒｆａｃｅの略記である。また、コンテンツ再生装置２００の入力部１０１への接続は、ＨＤＭＩケーブルに限らず、デジタル光ケーブル、及びアナログケーブル、等の他の物理的なケーブルで行われてもよい。さらに、コンテンツ再生装置２００の入力部１０１への接続は、物理的なケーブルを介した接続だけでなく、オーディオ信号を伝送する無線通信による接続も含んでもよい。無線通信には、無線ＬＡＮ通信及びＢｌｕｅｔｏｏｔｈ（登録商標）通信を含む。
【００１９】
メモリ１０４には、プログラムが記憶されている。このプログラムは、ＣＰＵ１０３によって読み出されて実行される。これにより、ＣＰＵ１０３は、入力部１０１、ＤＳＰ１０２、出力部１０５、及びＲＦＩＣ１０６の制御を行う。
【００２０】
出力部１０５は、入力された各オーディオ信号を増幅して、複数のスピーカ３００（スピーカ３００ＦＬ、スピーカ３００ＳＬ、スピーカ３００Ｃ、スピーカ３００ＳＲ、及びスピーカ３００ＦＲ）に出力する。本実施形態では、各スピーカ３００は、スピーカケーブルを介してＡＶレシーバ１００のスピーカコネクタに接続されている。ただし、出力部１０５は、さらに多くのスピーカが接続可能であり、例えば、７．１チャンネルのマルチチャンネルサラウンドサウンドに対応した複数のスピーカが接続可能である。また、複数のスピーカ３００と出力部１０５との接続は、物理的なスピーカケーブルに限らず、無線通信（例えばＢｌｕｅｔｏｏｔｈ通信）で接続されてもかまわない。
【００２１】
ＲＦＩＣ１０６は、ＣＰＵ１０３の制御により、無線通信用のアンテナ（不図示）を用いて、携帯端末４００と各種情報の送受信を行う。
【００２２】
ＤＳＰ１０２は、ＣＰＵ１０３の制御に従って、入力部１０１から入力された各オーディオ信号に所定の処理（例えば音量調整及びイコライザ処理、等）を施す。利用者は、これら処理に関する設定をＡＶレシーバ１００の操作ボタン（例えば音量変更ツマミ、及び周波数変更ツマミ等。ただし不図示。）を用いて行う。ＡＶレシーバ１００の操作ボタンは、音響処理に特化したものである。
【００２３】
次に、携帯端末４００は、ＣＰＵ４０１、ＬＣＤ４０２、タッチパネル４０３、及びＲＦＩＣ４０４を備えている。これら構成は、共通のＢＵＳに接続されている。
【００２４】
ＣＰＵ４０１は、ＬＣＤ４０２、タッチパネル４０３、及びＲＦＩＣ４０４を統括的に制御する。ＲＦＩＣ４０４は、ＣＰＵ４０１の制御により、無線通信用のアンテナ（不図示）を用いて、ＡＶレシーバ１００のＲＦＩＣ１０６と各種情報の送受信を行う。
【００２５】
ＬＣＤ４０２及びタッチパネル４０３は、重なって配置されている。ＣＰＵ４０１は、タッチパネル４０３で受け付けた利用者のタッチ操作に基づいてＬＣＤ４０２の表示内容を変更する。これにより、携帯端末４００は、ＧＵＩ（；Ｇｒａｐｈｉｃａｌ  Ｕｓｅｒ  Ｉｎｔｅｒｆａｃｅ）を実現する。
【００２６】
例えば、携帯端末４００は、設定開始の操作入力をタッチパネル４０３で受け付けると、設定のガイダンスメッセージ及びソフトウェアキーボードをＬＣＤ４０２に表示し、設定に関するキー入力操作をタッチパネル４０３で受け付ける。このように携帯端末４００は、ＧＵＩを実現しているため、利用者に容易に設定に関する操作入力をさせることができる。
【００２７】
本実施形態では、利用者は、ＡＶレシーバ１００の入力部１０１及び出力部１０５に接続された機器（複数のコンテンツ再生装置２００及び複数のスピーカ３００）の接続態様に関する設定を携帯端末４００に対して行う。接続態様に関する設定には、各チャンネルへのスピーカ３００の接続有無、スピーカシステム構成（例えば２チャンネル及び５チャンネル）、等が含まれる。さらに、接続態様に関する設定には、各コンテンツ再生装置２００の接続有無、各コンテンツ再生装置２００の接続コネクタ番号、各コンテンツ再生装置２００の種類（プレーヤ、ＰＣ、及びビデオカメラといった装置の種類）、各コンテンツ再生装置２００の製造者、各コンテンツ再生装置２００の機種名（プレーヤ、ＰＣ、及びビデオカメラの機種名）、等が含まれる。
【００２８】
図２に示すように、ＡＶレシーバ１００は、収音部１１、検出部１２、判断部１３、及び通信部１４の各機能を実現している。携帯端末４００は、通信部４１、制御部４２、操作入力部４３、及び表示部４４の各機能を実現している。なお、図２において、情報の送受信を実線に示し、オーディオ信号の送受信を点線に示している。また、上述のように、ＡＶレシーバ１００と携帯端末４００との間の情報の送受信は、無線通信により行われている。また、収音部１１、検出部１２、及び判断部１３は、入力部１０１、出力部１０５、ＣＰＵ１０３及びＤＳＰ１０２によって実現されている。
【００２９】
収音部１１は、テスト音のオーディオ信号をチャンネル毎に出力する。収音部１１は、マイク１０７から収音信号が入力される。収音部１１は、複数のチャンネルに対応した複数の収音信号を収音結果として検出部１２に出力する。
【００３０】
検出部１２は、収音部１１からの収音結果に基づいて、チャンネル毎にスピーカ３００が接続されているか否かを検出するものである。より具体的には、検出部１２は、チャンネル毎の収音信号のレベルが所定の閾値以上であると、当該チャンネルにいずれかのスピーカ３００が接続されていると検出する。検出部１２は、チャンネル毎にスピーカ３００が接続されているか否かを示す情報を検出結果として判断部１３に出力する。この検出結果は、ＡＶレシーバ１００に接続された複数のスピーカ３００の実際の接続態様に対応する。
【００３１】
また、検出部１２は、入力部１０１の各ＨＤＭＩコネクタにいずれかのコンテンツ再生装置２００が接続されているか否かを検出する。より具体的には、検出部１２は、入力部１０１のＨＤＭＩコネクタからＨＤＭＩ−ＣＥＣ（；Ｃｏｎｓｕｍｅｒ  Ｅｌｅｃｔｒｏｎｉｃｓ  Ｃｏｎｔｒｏｌ）フォーマットに適合した検出信号を送信する。検出部１２は、ＨＤＭＩ−ＣＥＣフォーマットに適合した検出結果信号が入力される。検出結果信号には、コンテンツ再生装置２００の種類及び機種名、等の情報が含まれる。検出部１２は、この検出結果信号に示す検出結果も判断部１３に出力する。検出結果信号は、ＡＶレシーバ１００に接続された複数のコンテンツ再生装置２００の実際の接続態様に対応する。
【００３２】
判断部１３は、検出部１２に検出結果に示す実際の接続態様と、携帯端末４００から取得した設定情報に示す接続態様との相違を判断する。携帯端末４００からの設定情報は、通信部１４から入力される。判断部１３は、接続態様の相違の判断結果を通信部１４に出力する。判断結果には、各チャンネルへのスピーカ３００の接続有無、スピーカシステム構成、等に相違があるか否かを示す情報が含まれる。さらに、判断結果には、各ＨＤＭＩコネクタへのコンテンツ再生装置２００の接続有無、接続コネクタ番号、種類、製造者、及び機種名、等に相違があるか否かを示す情報が含まれる。
【００３３】
通信部１４は、判断部１３からの判断結果を携帯端末４００の通信部４１に送信する。通信部１４は、携帯端末４００の通信部４１から設定情報を受信する。
【００３４】
携帯端末４００の制御部４２は、ＡＶレシーバ１００の入力部１０１及び出力部１０５に接続された機器（複数のコンテンツ再生装置２００及び複数のスピーカ３００）の接続態様に関する設定情報を操作入力部４３から取得すると、通信部４１を介してＡＶレシーバ１００の通信部１４に送信する。制御部４２は、通信部４１を介してＡＶレシーバ１００の判断部１３の判断結果を取得すると、当該判断結果に基づいた表示を表示部４４に行わせる。
【００３５】
ただし、携帯端末４００は、設定の操作入力及び判断結果に基づいた表示を実現するプログラムを自装置に備えなくてもよい。例えば、ＡＶレシーバ１００は、携帯端末４００が汎用的なＷＥＢブラウザを介して自装置にアクセスすると、設定入力用のＷＥＢアプリケーションを携帯端末４００に実行させて、設定操作入力を取得する。そして、ＡＶレシーバ１００は、ＷＥＢアプリケーションを介して取得した設定情報に示す接続態様と、検出された実際の接続態様との相違に基づいた表示を、携帯端末４００で動作している当該ＷＥＢアプリケーションに実行させる。
【００３６】
ＡＶレシーバ１００及び携帯端末４００の各機能部は、以下のように動作して、利用者にＡＶレシーバ１００に接続された機器の接続態様を確認させる接続確認処理を行う。
【００３７】
図３（Ａ）に示すように、制御部４２は、携帯端末４００の操作入力部４３が利用者から接続態様に関する設定の操作入力を受け付けると（Ｓ１）、当該設定情報を通信部４１に送信させる（Ｓ２）。
【００３８】
すると、図３（Ｂ）に示すように、ＡＶレシーバ１００の通信部１４は、通信部４１からの設定情報を受信する（Ｓ１１）。そして、ＡＶレシーバ１００は、複数のスピーカ３００の接続有無を検出する（Ｓ１２）。より具体的には、収音部１１は、チャンネル毎にテスト音のオーディオ信号を出力する。収音部１１は、対応するチャンネルにいずれかのスピーカ３００が接続されていると、当該スピーカ３００が出力したテスト音を収音する。検出部１２は、各収音信号のレベルが所定の閾値以上であると、当該収音信号に対応するチャンネルにいずれかのスピーカ３００が接続されていると検出する。
【００３９】
検出部１２は、ステップＳ１２において、ＨＤＭＩ規格で接続された各コンテンツ再生装置２００の検出も行う。より具体的には、検出部１２は、各ＨＤＭＩコネクタからＨＤＭＩ−ＣＥＣフォーマットに適合した検出信号を出力する。いずれかのコンテンツ再生装置２００がＨＤＭＩコネクタに接続され、かつＨＤＭＩ−ＣＥＣフォーマットの検出信号に応答すると、検出部１２は、当該コンテンツ再生装置２００からＨＤＭＩ−ＣＥＣフォーマットの検出結果信号を受信する。これにより、検出部１２は、入力部１０１の各ＨＤＭＩコネクタに接続されたコンテンツ再生装置２００の接続有無、種類、及び機種名、等の接続態様を検出することができる。ただし、ＡＶレシーバ１００は、ステップＳ１２の処理を、ステップＳ１１の処理の前に行ってもよい。
【００４０】
次に、判断部１３は、ステップＳ１２で取得された検出結果に示す実際の接続態様と、ステップＳ１１で受信した設定情報に示す接続態様との相違を判断する（Ｓ１３）。そして、通信部１４は、判断部１３の判断結果の情報を通信部４１に送信する（Ｓ１４）。すると、携帯端末４００の通信部４１は、通信部１４から送信された判断結果の情報を受信する（Ｓ３）。そして、制御部４２は、判断結果に基づいた表示を表示部４４に行わせる（Ｓ４）。
【００４１】
本実施形態１に係る接続確認処理の例を図４（Ａ）及び図４（Ｂ）を用いて説明する。図４（Ａ）は、利用者の接続例を説明するための出力部と各スピーカとの接続を示す図であり、図４（Ｂ）は、携帯端末の表示例を示す図である。
【００４２】
図４（Ａ）に示す接続例では、利用者は、サラウンドバックスピーカを含めた７チャンネル（ＦＬ、ＦＲ、Ｃ、ＳＬ、ＳＲ、ＳＢＬ、及びＳＢＲ）のサラウンドサウンドを聴くための接続設定を携帯端末４００に対して行っているものとする（Ｓ１）。
【００４３】
図４（Ａ）に示す接続例では、スピーカ３００ＦＬ、スピーカ３００ＦＲ、スピーカ３００ＳＬ、スピーカ３００ＳＲ、及びスピーカ３００Ｃは、対応するチャンネル用のスピーカコネクタ１５に接続されているが、サラウンドバック用のスピーカ３００ＳＢＬは、プレゼンススピーカ用のスピーカコネクタ１５ＰＬに接続され、サラウンドバック用のスピーカ３００ＳＢＲは、プレゼンススピーカ用のスピーカコネクタ１５ＰＲに接続されている。プレゼンススピーカであるスピーカ３００ＰＬ及びスピーカ３００ＰＲは、いずれのスピーカコネクタ１５にも接続されていない。すなわち、図４（Ａ）に示す接続例は、サラウンドバック用スピーカの接続を利用者が誤っている例である。
【００４４】
図４（Ａ）に示す接続例では、検出部１２は、ＦＬ、ＦＲ、ＳＬ、ＳＲ、Ｃ、ＰＬ、及びＰＲチャンネルにスピーカ３００が接続されていると検出する（Ｓ２）。検出部１２は、ＦＬ、ＦＲ、ＳＬ、ＳＲ、Ｃ、ＰＬ、及びＰＲチャンネルに接続された各スピーカ３００が、スピーカ３００ＦＬ、スピーカ３００ＦＲ、スピーカ３００ＳＬ、スピーカ３００ＳＲ、スピーカ３００Ｃ、スピーカ３００ＰＬ、及びスピーカ３００ＰＲであると見做して検出する。従って、判断部１３は、設定情報に示す接続態様（サラウンドバックスピーカを含めた７チャンネル）と、検出された実際の接続態様（プレゼンススピーカを含めた７チャンネル）とに相違があると判断する（Ｓ１３）。
【００４５】
すると、図４（Ｂ）に示すように、携帯端末４００のＬＣＤ４０２には、接続確認結果として、領域５００に示す接続設定、領域５０１に示す検出結果（実際の接続態様に対応する。）、領域５０２に示す設定ガイダンスメッセージ、及び領域５０３に示す参考図が表示される（Ｓ４）。なお、領域５０３に示す参考図は、ＡＶレシーバ１００の各種コネクタ群が配置されている面の模式図である。
【００４６】
携帯端末４００は、設定情報に示す接続態様と検出結果に示す実際の接続態様とに相違があるため、領域５０２の設定ガイダンスメッセージに示すように、相違がある旨を表示し、かつ接続の修正を促す旨を表示する（Ｓ４）。また、携帯端末４００は、領域５０３内の強調領域５０４（図４（Ｂ）の薄墨に示す範囲）に示すように、相違があるスピーカコネクタを強調して表示するため、正しい接続を利用者に理解させやすくすることができる。
【００４７】
以上のように、接続確認システム９００は、設定情報に示す接続態様と、検出結果に示す実際の接続態様との相違を表示する。その結果、利用者は、実際の接続に誤りがあるか否かを確認することができ、所望の接続態様にすることができる。
【００４８】
また、接続確認システム９００は、図４（Ａ）に示す接続誤りに限らず、携帯端末４００が設定情報に示すチャンネル数と検出したチャンネル数との相違に基づいた表示を行うことにより、利用者に接続忘れ（検出したチャンネル数が設定したチャンネル数より少ない場合）又は余分な接続（検出したチャンネル数が設定したチャンネル数より多い場合）をしていることを確認させることもできる。
【００４９】
また、接続確認システム９００は、ＧＵＩを実現した携帯端末４００に対して利用者が接続設定を行うため、利用者に容易に接続設定を入力させることができる。さらに、利用者は、設定の操作入力を受け付ける携帯端末４００が表示を実現するため、設定の操作入力と接続態様の相違の確認を１台の携帯端末４００で行うことができる。
【００５０】
次に、図４（Ａ）及び図４（Ｂ）に示す例では、利用者によるスピーカ３００の接続に誤りがあったが、利用者の設定に誤りがある場合について、図５（Ａ）及び図５（Ｂ）を用いて説明する。図５（Ａ）は、利用者の接続例を説明するための出力部と各スピーカとの接続を示す図であり、図５（Ｂ）は、携帯端末の表示例を示す図である。
【００５１】
図５（Ａ）に示す接続例では、利用者は、２チャンネルのステレオサウンドを聴くために、スピーカ３００ＦＬ、及びスピーカ３００ＦＲを用いることを望んでいるものとする。図５（Ａ）に示す接続例では、スピーカ３００ＦＬ及びスピーカ３００ＦＲは、それぞれ正しくスピーカコネクタ１５ＦＬ及びスピーカコネクタ１５ＦＲに接続されている。サブウーファ用のスピーカコネクタ１５ＳＷには、いずれのスピーカ３００も接続されていない。
【００５２】
しかしながら、図５（Ａ）に示す接続例では、利用者は、携帯端末４００に対して、スピーカ３００ＦＬ、スピーカ３００ＦＲ、及びスピーカ３００ＳＷ（；Ｓｕｂ  Ｗｏｏｆｅｒ）を用いた２．１チャンネルのサラウンドサウンドを接続態様として設定しているものとする。すなわち、図５（Ａ）及び図５（Ｂ）に示す例では、利用者の接続設定に誤りがある。
【００５３】
図５（Ａ）に示す接続例において、検出部１２は、実際のスピーカシステム構成を２チャンネルと検出し、ＦＬチャンネル及びＦＲチャンネルに接続された各スピーカ３００をスピーカ３００ＦＬ及びスピーカ３００ＦＲであると見做して検出する。従って、判断部１３は、検出結果に示す実際の接続態様と、設定情報に示す接続態様とに相違があると判断する。
【００５４】
そこで、携帯端末４００は、図５（Ｂ）に示すように、相違がある旨、及び接続の修正又は設定の修正を促す旨を領域５０２に表示する。これにより、利用者は、自身の接続設定に誤りがあると気付き、設定の修正入力を行うことにより所望の接続態様とすることができる。
【００５５】
以上の例は、各スピーカ３００の接続態様について接続確認処理を行っていたが、各コンテンツ再生装置２００の接続態様についても接続確認処理を行ってもよい。
【００５６】
図６（Ａ）は、利用者の接続例を説明するための入力部と各コンテンツ再生装置との接続を示す図であり、図６（Ｂ）は、携帯端末の表示例を示す図である。
【００５７】
図６（Ａ）に示す接続例では、利用者は、ＢＤプレーヤ２０１、ＰＣ２０２、及びビデオカメラ２０３のコンテンツの音を聴きたいと望んでいるものとする。図６（Ａ）に示す接続例では、利用者は、ＨＤＭＩコネクタ１０１Ａ（コネクタ番号１）にＢＤプレーヤ２０１を接続し、ＨＤＭＩコネクタ１０１Ｂ（コネクタ番号２）にＰＣ２０２を接続し、ＨＤＭＩコネクタ１０１Ｃ（コネクタ番号３）にビデオカメラ２０３を接続することを接続態様として携帯端末４００に設定しているものとする。
【００５８】
図６（Ａ）に示す接続例では、ＢＤプレーヤ２０１は、正しくＨＤＭＩコネクタ１０１Ａに接続され、ＰＣ２０２は、ＨＤＭＩコネクタ１０１Ｂに接続されているが、ビデオカメラ２０３は、いずれのＨＤＭＩコネクタにも接続されていない。すなわち、図６（Ａ）に示す接続例は、利用者がビデオカメラ２０３の接続を忘れている例である。
【００５９】
従って、ＨＤＭＩ−ＣＥＣフォーマットの検出結果信号は、ＢＤプレーヤ２０１及びＰＣ２０２から返送されるが、ビデオカメラ２０３から返送されない。これにより、検出部１２は、コネクタ番号１にＢＤプレーヤ２０１が接続され、コネクタ番号２にＰＣが接続されていると検出する。
【００６０】
そこで、携帯端末４００は、ＬＣＤ４０２の領域５００に接続設定に示す接続態様を表示し、領域５０１に検出結果に示す実際の接続態様を表示する。携帯端末４００は、ＨＤＭＩ接続について、設定情報に示す接続態様と検出結果に示す実際の接続態様とに相違がある旨、及び接続又は設定の修正を促す旨を領域５０２に表示する。さらに、携帯端末４００は、接続誤りの修正のために、領域５０３に参考図を表示し、強調領域５０６に示すように、接続誤りがあると判断したコネクタ番号３のＨＤＭＩコネクタを強調表示する。
【００６１】
なお、ＡＶレシーバ１００は、スピーカケーブル及びＨＤＭＩケーブルを介した接続に限らず、物理的なケーブルを介さない無線通信による接続についても、接続態様を検出してもよい。
【００６２】
例えば、検出部１２は、Ｂｌｕｅｔｏｏｔｈプロファイルを求めることにより、入力部１０１にＢｌｕｅｔｏｏｔｈ通信で接続されるべきコンテンツ再生装置２００の接続有無及び種類、等を検出する。また、検出部１２は、出力部１０５にＢｌｕｅｔｏｏｔｈ通信で接続されたスピーカ３００を検出してもよい。さらに、検出部１２は、Ｂｌｕｅｔｏｏｔｈ通信に限らず、無線ＬＡＮで接続された機器を検出してもよい。
【００６３】
また、検出部１２は、ＡＶレシーバ１００に直接接続された機器に限らず、ネットワークを介して接続された機器も検出してもよい。すなわち、検出部１２は、ＡＶレシーバ１００に論理的に接続された機器を検出してもよい。例えば、検出部１２は、ポーリングを行い、入力部１０１にＬＡＮ（；Ｌｏｃａｌ  Ａｒｅａ  Ｎｅｔｗｏｒｋ）接続されるべきコンテンツ再生装置２００の接続有無及び装置の種類、等を検出する。
【００６４】
また、判断部１３の機能は携帯端末４００で実現されてもかまわない。すなわち、携帯端末４００は、通信部４１を介して検出結果を検出部１２から取得し、設定情報に示す接続態様と、検出結果に示す実際の接続態様とに相違があるか否かを自装置で判断してもよい。
【００６５】
また、接続確認システム９００は、利用者の設定の操作入力を受け付けるために、携帯端末４００を備えるに限らず、キーボード及びマウスを有するＰＣで利用者の設定の操作入力を受け付けてもよい。さらに、接続確認システム９００は、表示部を備えず、かつキーボード等の操作受付部のみを備えた装置で操作入力を受け付けて、判断結果に基づいた表示をＡＶレシーバ１００で行ってもよい。
【００６６】
また、接続確認システム９００では、接続検出装置としては、ＡＶレシーバ１００に限らず、自装置に接続された機器を検出し、かつユーザーインターフェースがシンプルな装置であれば何でもよい。例えば、接続検出装置としては、ＰＡミキサ装置、等の組込装置を用いることができる。
【００６７】
次に、実施形態２に係る接続確認システム９００Ａについて、図７を用いて説明する。図７は、接続確認システム９００Ａの構成の一部を示すブロック図である。
【００６８】
接続確認システム９００Ａは、各スピーカ３００の位置を接続態様に含める点において、実施形態１に係る接続確認システム９００と相違する。すなわち、接続確認システム９００Ａでは、利用者は、各スピーカ３００の配置に誤りがあるのか、配置の設定に誤りがあるのかを確認することができるため、各スピーカ３００の配置を所望の配置にすることができる。接続確認システム９００と重複する構成の説明は省略する。
【００６９】
より具体的には、接続確認システム９００Ａは、ＡＶレシーバ１００Ａがマイク１０７Ａ、マイク１０７Ｘ、及びマイク１０７Ｙを備える点、マイク１０７Ａ、マイク１０７Ｘ、及びマイク１０７Ｙからの各収音信号が入力部１０１Ａに入力される点、並びに、検出部１２Ａが各収音信号に基づいて各スピーカ３００の位置を検出する点において接続確認システム９００と相違する。また、接続確認システム９００Ａは、携帯端末４００に対して各スピーカ３００の位置に関する設定の操作入力がされる点において接続確認システム９００と相違する。
【００７０】
マイク１０７Ａ、マイク１０７Ｘ、及びマイク１０７Ｙ（以下、これらを総括して称する場合は単にマイク１０７と称す。）は、近接配置されている。より具体的には、マイク１０７Ｘは、利用者の聴取位置に配置されたマイク１０７Ａを基準として右方向に所定の距離ｄだけ離して配置される。マイク１０７Ｙは、マイク１０７Ａを基準として前方に所定の距離ｄだけ離して配置される。ただし、聴取位置からスピーカ３００ＦＬ及びスピーカ３００ＦＲが配置されるべき方向を前方とする。
【００７１】
ＡＶレシーバ１００の収音部１１Ａは、各マイク１０７から収音信号が入力される。検出部１２Ａは、各収音信号を収音結果として取得し、音源位置（スピーカ位置）を検出する。
【００７２】
例えば、検出部１２Ａは、スピーカ３００ＦＬの位置（ＸＦＬ、ＹＦＬ）をピタゴラスの定理に基づく以下の式によって求める。なお、Ｘ軸はマイク１０７Ａの位置からマイク１０７Ｘの位置への方位（右方に相当する）に沿い、Ｙ軸はマイク１０７Ａの位置からマイク１０７Ｙの位置への方位（前方に相当する）に沿うものとする。
【００７３】
ＸＦＬ  ＝  （ｄ２＋ｒ２Ａ＿ＦＬ−ｒ２Ｘ＿ＦＬ）／２ｄ
ＹＦＬ  ＝  （ｄ２＋ｒ２Ａ＿ＦＬ−ｒ２Ｙ＿ＦＬ）／２ｄ
ただし、距離ｄは、上述のように、各マイク１０７間の距離である。また、距離ｒＡ＿ＦＬは、スピーカ３００ＦＬの位置と、マイク１０７Ａの位置との距離であり、マイク１０７Ａの収音信号に含まれるインパルス応答において、テスト音出力タイミングから直接音が検出されたタイミングまでの時間及び音速に基づいて求められる。同様に、距離ｒＸ＿ＦＬは、スピーカ３００ＦＬの位置と、マイク１０７Ｘの位置との距離であり、距離ｒＹ＿ＦＬは、スピーカ３００ＦＬの位置と、マイク１０７Ｙの位置との距離である。
【００７４】
同様に、検出部１２Ａは、収音部１１Ａがスピーカ３００ＦＲからテスト音を出力させた時の収音信号を用いて、スピーカ３００ＦＲの位置（ＸＦＲ、ＹＦＲ）を検出する。同様に、検出部１２Ａは、他のチャンネルに接続された各スピーカ３００の位置も検出する。
【００７５】
次に、接続確認システム９００Ａによる接続確認処理の例について図８（Ａ）、図８（Ｂ）、図９を用いて説明する。図８（Ａ）は、スピーカ配置を説明するための出力部及び各スピーカの接続を示す図であり、図８（Ｂ）は、聴取環境における各スピーカの配置を説明するための聴取環境の平面模式図である。図９は、携帯端末の表示例を示す図である。
【００７６】
図８（Ａ）に示す接続例では、利用者は、プレゼンススピーカを含めた７チャンネル（ＦＬ、ＦＲ、Ｃ、ＳＬ、ＳＲ、ＰＬ、及びＰＲ）のサラウンドサウンドを聴くために、図８（Ｂ）に示すように、聴取環境の周囲に各スピーカ３００を配置しているものとする。図８（Ｂ）に示す例では、プレゼンススピーカであるスピーカ３００ＰＬ及びスピーカ３００ＰＲは、聴取位置の前方に配置され、サラウンドバックスピーカであるスピーカ３００ＳＢＬ及びスピーカ３００ＳＢＲは、聴取位置の後方に配置されている。
【００７７】
図８（Ａ）に示す接続例では、プレゼンススピーカ用のスピーカコネクタ１５ＰＬ及びスピーカコネクタ１５ＰＲに、誤ってスピーカ３００ＳＢＬ及びスピーカ３００ＳＢＲが接続されている。プレゼンススピーカであるスピーカ３００ＰＬ及びスピーカ３００ＰＲは、いずれのスピーカコネクタにも接続されていない。
【００７８】
図８（Ａ）に示す接続例では、検出部１２は、ＰＬチャンネルのスピーカコネクタ１５ＰＬに接続されたスピーカ３００ＳＢＬ、及びＰＲチャンネルのスピーカコネクタ１５ＰＲに接続されたスピーカ３００ＳＢＲが聴取位置後方に配置されていると見做して検出する。従って、判断部１３は、設定情報に示す接続態様（プレゼンススピーカが前方配置される。）と、検出された実際の接続態様（プレゼンススピーカが後方配置されている。）とに相違があると判断する。
【００７９】
そこで、携帯端末４００は、図９の表示例に示すように、スピーカ配置について、設定情報に示す接続態様と、検出結果に示す実際の接続態様とに相違がある旨、等をＬＣＤ４０２の領域５０２に表示する。その結果、利用者は、スピーカ配置に誤りがあると気付き、スピーカ配置について所望の接続態様にすることができる。
【００８０】
また、携帯端末４００は、図９の領域５０３に示す参考図として、検出結果に基づいた各スピーカ３００の実際の配置を領域５０７に表示し、設定情報に基づいた各スピーカ３００の配置を領域５０８に表示している。そして、携帯端末４００は、各スピーカ３００の配置について、設定上の配置と実際の配置との相違を強調領域５０９Ａ及び強調領域５０９Ｂに表示している。利用者は、携帯端末４００が各スピーカ３００の配置を図で表示するため、直感的に配置設定に誤りがあるのか、実際の配置に誤りがあるのかを理解することができる。
【００８１】
以上の例では、ＡＶレシーバ１００及びＡＶレシーバ１００Ａは、自装置に直接的に接続された機器の接続態様について、接続確認処理を行っていたが、以下のように、自装置に間接的に接続された機器の接続態様について接続確認処理を行ってもよい。
【００８２】
図１０は、実施形態３に係る接続確認システムの構成の一部を示すブロック図である。図１１は、実施形態３に係るＡＶレシーバ及び携帯端末の機能ブロック図である。実施形態３に係る接続確認システム９００Ｂは、ミキサ２０４を介して間接的に接続された機器（マイク２０４Ｂ１、及びギター２０４Ｂ２）の接続態様について、利用者からの設定情報と、検出結果に示す実際の接続態様との相違を判断し、携帯端末４００が当該相違に基づいた表示を行うものである。
【００８３】
ミキサ２０４は、オーディオケーブルでＡＶレシーバ１００Ｂの入力部１０１Ｂに接続されている。マイク２０４Ｂ１及びギター２０４Ｂ２は、それぞれオーディオケーブルでミキサ２０４に接続されている。マイク２０４Ｂ１は、収音して生成したオーディオ信号に機器固有のＩＤ情報を重畳してミキサ２０４に出力する。ギター２０４Ｂ２は、利用者の操作に基づいて楽音を生成し、楽音のオーディオ信号に機器固有のＩＤ情報を重畳してミキサ２０４に出力する。
【００８４】
ミキサ２０４は、入力された各オーディオ信号からＩＤ情報を抽出する。ミキサ２０４は、入力された各オーディオ信号を混合し、混合したオーディオ信号に対して、抽出したＩＤ情報、及び自装置のＩＤ情報の組を、自装置が親機（マイク２０４Ｂ１及びギター２０４Ｂ２を子機と見做す）であるとわかるように、重畳する。これにより、重畳された情報には、各機器の接続の親子関係が含まれるようになる。なお、オーディオ信号への情報の重畳は、オーディオ信号で通常使用する帯域より高い帯域（例えば２０ｋＨｚ以上）で行われることが望ましい。
【００８５】
ＡＶレシーバ１００Ｂの検出部１２Ｂは、図１１に示すように、複数のＩＤ情報が重畳されたオーディオ信号が入力される。検出部１２Ｂは、入力されたオーディオ信号から複数のＩＤ情報を抽出する。検出部１２Ｂは、入力されたオーディオ信号には接続の親子関係を示す情報も含まれるため、ミキサ２０４にマイク２０４Ｂ１及びギター２０４Ｂ２が接続されていると検出する。
【００８６】
これにより、携帯端末４００は、利用者が携帯端末４００に入力したミキサ２０４に接続された機器の接続態様と、検出部１２Ｂが検出したミキサ２０４の実際の接続態様との相違に基づいた表示を行うことができる。
【００８７】
さらに、接続確認システム９００Ｂは、ＡＶレシーバ１００Ｂの入力部１０１Ｂに１台のミキサ２０４ではなく、複数のミキサ２０４が多段に接続されてもよい。複数のミキサ２０４が多段に接続された複雑な配線であっても、接続確認システム９００Ｂは、利用者の設定情報に示す接続態様と、検出した実際の接続態様との相違に基づいた表示を行うため、利用者に設定に誤りがあるのか、接続に誤りがあるのかを気付かせることができる。
【００８８】
次に、上記実施形態１の第１の変形例について説明する。図１２は、第１の変形例について説明するための図である。具体的には、図１２は、当該第１の変形例における携帯端末の処理のフローの概要を示す。なお、下記においては、理解の容易化のため、ＡＶレシーバ１００が、ＨＤＭＩ入力としてＡＶ１乃至ＡＶ７を有し、ＨＤＭＩ出力としてＨＤＭＩ  ＯＵＴ１、ＨＤＭＩ  ＯＵＴ２を有する場合を例として説明する。また、ユーザの接続を希望する機器が、ＢＤプレーヤ、ＳＴＢ、テレビモニターである場合について説明する。下記フローの概要は一例であって、本変形例は下記フローの概要に限定されるものではない。
【００８９】
図１２に示すように、ユーザは、設定支援アプリケーションがインストールされた携帯端末４００の設定画面において、接続を希望するＨＤＭＩ機器を入力する（Ｓ１０１）。上記例の場合、例えば、ユーザはＨＤＭＩ入力としてＢＤプレーヤ、ＳＴＢ、ＴＶモニタの接続を希望していることから、これらの機器を識別するための機器ＩＤを携帯端末４００の操作入力部４３を用いて入力する。なお、本変形例においては当該設定支援アプリケーションが携帯端末４００にインストールされている場合を例として説明するが、本変形例はこれに限られず、当該設定支援アプリケーションは、他の機器にインストールして使用されるように構成してもよい。
【００９０】
携帯端末４００は、入力された機器（例えば、機器ＩＤ）に基づいて、推奨される接続方法（推奨接続情報）を取得し表示部４４に表示する（Ｓ１０２）。具体的には、例えば、当該推奨接続情報は、当該機器の接続がＨＤＭＩ端子を用いることが推奨であることを表す情報であって、ユーザが接続を希望する機器毎にあらかじめ関連付けられた情報に相当する。より具体的には、上記例の場合、例えば、図１３に示すように、ＢＤプレーヤにつきＡＶ１、ＳＴＢにつきＡＶ３、ＴＶモニタにつきＨＤＭＩ  ＯＵＴ１を接続する推奨接続方法が登録されている場合には、携帯端末４００は、ＢＤプレーヤにつきＡＶ１、ＳＴＢにつきＡＶ３、ＴＶモニタにつきＨＤＭＩ  ＯＵＴ１に接続することを表す推奨接続情報を取得し、携帯端末４００の画面に表示する。なお、図１３に示した推奨接続情報は一例であって、これに限定されるものではない。また、当該推奨接続情報は、例えば、接続されるＨＤＭＩ機器の組み合わせに基づいて決定されるなど他の方法によって取得されるように構成してもよい。ユーザは、Ｓ１０２で表示された接続方法を参照しつつ、ユーザの所望の接続方法を入力し、携帯端末４００は、当該所望の接続方法を表す情報（所望接続情報）を取得する（Ｓ１０３）。当該所望接続情報とは、例えば、図１３に示した推奨接続情報と同様に、例えば、機器ＩＤとＨＤＭＩ端子とを関連付けた情報に相当する。なお、本変形例においては、推奨される接続方法が所望の接続方法に合致するものとして説明するが、ユーザは、推奨される接続方法を変更できるように構成してもよい。そして、ユーザは表示された接続方法を参照しつつ、本体に機器を接続する。
【００９１】
携帯端末４００は、所望接続情報に基づいて、ＡＶレシーバ１００の設定に関する本体設定情報を取得する（Ｓ１０４）。ここで、例えば、当該本体設定情報は、接続態様に関する設定を表す情報であって、機器毎に入力端子、出力端子等を関連付けた情報に相当する。本変形例においては、例えば、図１４に示す２の本体設定情報（ＳＣＥＮＥ１及びＳＣＥＮＥ２）が取得された場合を例として説明する。なお、本体設定情報は、例えば、入力設定、ＨＤＭＩ出力端子、再生モードの設定、その他、トーンコントロールなどの音声設定、各映像コンテンツに応じた音場設定、ビデオモードなどの映像設定などの各種設定を表す情報を含むように構成してもよい。
【００９２】
携帯端末４００は、ＡＶレシーバ１００が取得したＡＶレシーバ１００の各端子と各ＨＤＭＩ機器間の接続状態を表す接続状態情報を取得する（Ｓ１０５）。具体的には、接続状態情報は、例えば、ＨＤＭＩ入力：ＡＶ１にＢＤプレーヤが接続されていること等を表す情報に相当する。なお、当該接続状態の検出は、ＡＶレシーバ１００がＨＤＭＩ  ＥＤＩＤ／ＣＥＣを用いて実現する。また、当該接続状態情報の取得は、携帯端末４００からの指示に基づいて行われるように構成してもよい。
【００９３】
携帯端末４００は、Ｓ１０４で取得された本体設定情報が表すＨＤＭＩ端子とＨＤＭＩ機器の接続関係と、接続状態情報が表すＨＤＭＩ端子とＨＤＭＩ機器の接続関係とが一致するか否かを判定する（Ｓ１０６）。当該判定は、例えば、携帯端末４００の制御部４２により行われる。具体的には、例えば、本体設定情報が図１３に示すようにＢＤプレーヤにつきＨＤＭＩ端子：ＡＶ１の接続関係を表す場合において、接続状態情報がＢＤプレーヤにつきＨＤＭＩ端子：ＡＶ１に接続されていることを表している場合には一致していると判定する等である。
【００９４】
一致していないと判定した場合には、一致していない接続関係を表す不一致接続関係情報をユーザに通知する（Ｓ１０７）。具体的には、例えば、上記例において、ユーザがＢＤプレーヤをＨＤＭＩ入力：ＡＶ１に接続したが、誤って、ＳＴＢをＨＤＭＩ入力：ＡＶ５に接続し、ＴＶモニタをＨＤＭＩ出力：ＨＤＭＩ  ＯＵＴ２に接続した場合、本体設定情報はＳＣＥＮＥ２に示すようにＳＴＢの接続先はＨＤＭＩ入力：ＡＶ３であるので、入力がないこととなる。同様に、ＴＶモニタの接続先は、ＨＤＭＩ  ＯＵＴ１であるので、出力がないこととなる。この場合、不一致接続関係情報は、例えば、ＳＴＢについて、ＨＤＭＩ入力：ＡＶ３の代わりにＡＶ５に接続されていることを表す情報を含む。当該通知は、例えば、不一致接続関係情報を表す情報の表示部４４への表示に相当する。
【００９５】
次に、携帯端末４００の制御部４２は、接続状態情報に基づいて本体設定情報が表す接続関係を変更で対応可能か否か、つまり、接続状態情報に応じて接続関係を変更可能か否か判定する（Ｓ１０８）。例えば、上記例の場合、ＳＣＥＮＥ２の本体設定情報におけるＨＤＭＩ出力：ＨＤＭＩ  ＯＵＴ１からＨＤＭＩ出力：ＨＤＭＩ  ＯＵＴ２に変更すれば対応可能であるので、対応可能であると判定する。一方、例えば、ユーザが誤ってＴＶモニタをＨＤＭＩ入力：ＡＶ２に接続した場合、入出力が異なり、本体設定情報の変更では対応できないことから対応不可と判定する。なお、上記対応可能か否かの判定は、例示であって、これに限定されるものではない。また、当該判定結果（例えば、本体設定情報の変更で対応可能である旨の表示部４４への表示等）についてもユーザに通知されるように構成してもよい。当該判定は、例えば、携帯端末４００の制御部４２により行われる。
【００９６】
対応可能と判定した場合には、本体設定情報が表す接続関係を変更した本体設定情報を生成する（Ｓ１０９）。具体的には、例えば、上記例の場合、ＳＣＥＮＥ２の本体設定情報におけるＨＤＭＩ出力をＨＤＭＩ出力：ＨＤＭＩ  ＯＵＴ２に変更した本体設定情報を生成する。なお、当該生成は、例えば、制御部４２より行われる。
【００９７】
携帯端末４００は、本体設定情報をＡＶレシーバ１００に送信する（Ｓ１１０）。具体的には、携帯端末４００は、Ｓ１０６で接続関係が一致すると判定された場合にはＳ１０４で取得した本体設定情報を、通信部４１を介して送信する。または、携帯端末４００は、Ｓ１０９で生成された本体設定情報を送信する。ＡＶレシーバ１００は、受信した本体設定情報を反映する。そして、処理を終了する。なお、当該送信は、例えば、通信部４１を介して行われる。
【００９８】
一方、Ｓ１０８で対応不可と判定した場合、接続の修正をユーザに通知する（Ｓ１１１）。具体的には、例えば、表示部４４において、「接続を修正してください」などのメッセージを表示する等である。ここで、上記不一致接続情報が表示されるように構成してもよい。これにより、ユーザは不一致接続情報を参照しつつ、接続を修正することができる。そして、Ｓ１０５に戻る。再度接続関係が一致しているか否か等の判定が行われる。
【００９９】
なお、上記第１の変形例は一例であって、上記第１の変形例と実質的に同一の構成、同一の作用効果を奏する構成等で置き換えてもよい。
【０１００】
例えば、上記においては携帯端末４００側でＳ１０６やＳ１０８の処理等を行う場合について説明したが、下記第２の変形例のように、ＡＶレシーバ１００側で行うように構成してもよい。具体的には、図１５及び図１６を用いて説明する。
【０１０１】
図１５及び図１６は、上記実施形態１の第２の変形例について説明するための図である。図１５は、第２の変形例における携帯端末の処理のフローの概要を示し、図１６は、第２の変形例におけるＡＶレシーバの処理のフローの概要を示す。なお、下記においては上記第１の変形例と同様の処理等については説明を省略する。
【０１０２】
図１５に示すように、ユーザは、携帯端末４００の設定支援アプリケーションの設定画面において、接続を希望するＨＤＭＩ機器を入力する（Ｓ２０１）。携帯端末４００は、入力されたＨＤＭＩ機器に基づいて、推奨される接続方法（推奨接続情報）を取得し画面に表示する（Ｓ２０２）。
【０１０３】
ユーザは、Ｓ２０２で表示された接続方法を参照しつつ、ユーザの所望の接続方法を入力し、携帯端末４００は、当該所望の接続方法を表す情報（所望接続情報）を取得する（Ｓ２０３）。そして、ユーザは表示された接続方法を参照しつつ、ＡＶレシーバ１００にＨＤＭＩ機器を接続する。
【０１０４】
携帯端末４００は、取得された接続情報に基づいて、本体設定情報を生成し、ＡＶレシーバ１００に送信する（Ｓ２０４）。携帯端末４００は、不一致接続情報をＡＶレシーバ１００から取得したか否かを判定する（Ｓ２０５）。当該判定は、例えば、制御部４２で行われる。取得したと判定した場合には、不一致接続情報をユーザに通知する（Ｓ２０６）。一方、取得していないと判定した場合には、処理を終了する。具体的には、例えば、Ｓ２０４の本体設定情報送信後、所定期間以内に不一致接続情報を取得しない場合には、取得していないと判定するように構成する。
【０１０５】
携帯端末４００は、修正通知指示をＡＶレシーバ１００から取得したか否かを判定する（Ｓ２０７）。取得したと判定した場合には、携帯端末４００は、接続の修正をユーザに通知する（Ｓ２０８）。そして、Ｓ２０５に戻る。なお、当該通知は、上記と同様に、例えば、表示部４４において、「接続を修正してください」などのメッセージの表示等に相当する。一方、取得していないと判定した場合には、処理を終了する。なお、例えば、Ｓ２０５で不一致接続情報を取得してから所定期間内に修正通知指示をＡＶレシーバ１００から取得しなかった場合には、修正通知指示を取得しなかったと判定するように構成する。
【０１０６】
次に、本変形例におけるＡＶレシーバ１００の処理のフローの概要について図１６で説明する。なお、下記フローの概要については一例であって、本変形例は下記フローの概要に限定されるものではない。
【０１０７】
ＡＶレシーバ１００は、本体設定情報を取得する（Ｓ３０１）。ＡＶレシーバ１００は、ＨＤＭＩ機器とＡＶレシーバ１００のＨＤＭＩ端子の接続状態を表す接続状態情報を取得する（Ｓ３０２）。
【０１０８】
ＡＶレシーバ１００は、取得した接続状態情報を携帯端末４００に送信する（Ｓ３０３）。ＡＶレシーバ１００は、Ｓ３０１で取得した本体設定情報が表すＨＤＭＩ端子と機器の接続関係と、接続状態情報が表すＨＤＭＩ端子とＨＤＭＩ機器の接続関係とが一致するか否かを判定する（Ｓ３０４）。
【０１０９】
ＡＶレシーバ１００は、一致していないと判定した場合には、一致していない接続関係（不一致接続情報）を携帯端末４００に送信する（Ｓ３０５）。ＡＶレシーバ１００は、接続状態情報に基づいて本体設定情報が表す接続関係を変更で対応可能か否か判定する（Ｓ３０６）。
【０１１０】
ＡＶレシーバ１００は、対応可能と判定した場合には、本体設定情報が表す接続関係を変更した本体設定情報を生成する（Ｓ３０７）。ＡＶレシーバ１００は、本体設定情報を反映する（Ｓ３０８）。具体的には、Ｓ３０４で接続関係が一致すると判定された場合には、Ｓ３０１で取得した本体設定情報を反映する。または、Ｓ３０７で生成された本体設定情報を反映する。そして、処理を終了する。一方、Ｓ３０６において、接続関係の変更で対応不可と判定した場合には、接続修正通知を行う指示を携帯端末４００に送信する（Ｓ３０９）。そして、Ｓ３０２に戻る。
【０１１１】
なお、本変形例においては、接続関係の変更で対応可能か否かについてユーザへの通知を行わない場合について説明したが、上記第１の変形例と同様に当該通知を行うように構成してもよい。また、変更した本体設定情報を携帯端末４００に送信するように構成してもよい。
【０１１２】
上記第１及び第２の変形例によれば、ユーザがＨＤＭＩ機器とＨＤＭＩ端子との接続を誤った場合においても、本体設定情報の変更で対応が可能であれば、本体設定情報の変更で対応することができ、ユーザの利便性をより向上させることができる。より具体的には、例えば、ＨＤＭＩ機器とＨＤＭＩ端子との接続を誤った場合に常にユーザに接続を修正させる必要がなくなる。
【０１１３】
本発明は、第１及び第２の変形例に限定されるものではなく、上記第１及び第２の変形例で示した構成と実質的に同一の構成、同一の作用効果を奏する構成又は同一の目的を達成することができる構成で置き換えてもよい。例えば、上記第１及び第２の変形例においては、主に、上記設定支援アプリケーションが携帯端末４００にインストールされている場合を例として説明したが、その他の機器、例えば、ＡＶレシーバ１００自体にインストールされるように構成してもよい。
【０１１４】
次に、上記実施形態２の変形例について説明する。図１７は、上記実施形態２の変形例について説明するための図である。具体的には、図１７は、実施形態２の変形例２における携帯端末の処理のフローの概要を示す。なお、上記実施形態１の変形例１及び２と同様である点については説明を省略する。また、下記フローの概要については一例であって、本変形例は下記フローの概要に限定されるものではない。
【０１１５】
図１７に示すように、ユーザは、携帯端末４００の設定支援アプリケーションの設定画面において、接続を希望する機器（スピーカを含む）を入力する（Ｓ４０１）。具体的には、例えば、ユーザの入力に応じて、携帯端末４００は、機器ＩＤ及び各スピーカを表すスピーカＩＤを取得する。ここで、各スピーカとは、例えば、左フロントスピーカ、右フロントスピーカ、センタースピーカ、左サラウンドスピーカ、右サラウンドスピーカ等に相当する。
【０１１６】
携帯端末４００は、入力された機器ＩＤ及びスピーカＩＤに基づいて、推奨される接続方法（推奨接続情報）を取得し画面に表示する（Ｓ４０２）。なお、当該推奨接続情報は、機器のＡＶレシーバ１００への接続に加えて、スピーカのＡＶレシーバ１００への接続に関する情報を含む。
【０１１７】
ユーザは、Ｓ４０２で表示された推奨接続方法を参照しつつ、ユーザの所望の接続方法を入力し、携帯端末４００は、当該所望の接続方法を表す情報（所望接続情報）を取得する（Ｓ４０３）。そして、ユーザは表示された接続方法を参照しつつ、ＡＶレシーバ１００の端子に機器及びスピーカを接続する。なお、当該推奨接続方法は、各スピーカとＡＶレシーバ１００の端子との接続関係を表す情報を含む。
【０１１８】
携帯端末４００は、取得された接続情報に基づいて、ＡＶレシーバ１００のあるべき本体設定情報を生成し、ＡＶレシーバ１００に送信する（Ｓ４０４）。ここで、本体設定情報は、各スピーカへの出力に関する設定を含む。
【０１１９】
携帯端末４００は、ＡＶレシーバ１００に本体設定情報で特定されるスピーカに対して放音させる放音指示を送信する（Ｓ４０５）。
【０１２０】
携帯端末４００は、放音指示に応じて放音された音を収音する（Ｓ４０６）。ここで、上記実施形態２においては、ＡＶレシーバ１００Ａがマイク１０７Ａ、１０７Ｘ、Ｙを有する場合について説明したが、本変形例においては、携帯端末４００がマイクを有し、当該マイクで放音された音を収音する。この場合、携帯端末４００が所定の位置で収音するような位置に携帯端末４００を移動させるようユーザに通知するよう構成してもよい。
【０１２１】
携帯端末４００は、収音結果に基づいてスピーカ位置を検出する（Ｓ４０７）。当該検出は、例えば携帯端末４００の制御部４２で行われる。また具体的な検出方法については、上記第２の実施形態と同様であるため説明を省略する。
【０１２２】
携帯端末４００は、検出したスピーカ位置と、所望接続情報が示すスピーカに対応する位置が一致するか否かを判定する（Ｓ４０８）。具体的には、例えば、当該本体設定情報は、スピーカ位置を表す情報を含み、携帯端末４００の制御部４２が、当該本体設定情報が示すスピーカ位置と、検出したスピーカ位置が一致するか否かを判定する。
【０１２３】
携帯端末４００は、一致すると判定した場合には、本体設定情報をＡＶレシーバ１００に反映する反映指示を送信する（Ｓ４０９）。当該反映指示に基づいてＡＶレシーバ１００は、当該本体設定情報を反映する。
【０１２４】
一方、携帯端末４００は、一致しないと判定した場合には、一致していない接続関係を表す不一致接続関係情報をユーザに通知する（Ｓ４１０）。具体的には、例えば、センタースピーカが左サラウンドバックスピーカの接続端子に接続されている等を表す不一致接続関係情報を表示部４４に表示する等である。また、当該通知は、例えば、ユーザの接続を修正することを促すメッセージを含むように構成してもよい。そして、当該通知に応じてユーザはスピーカ接続を修正し、Ｓ４０５に戻る。
【０１２５】
本発明は、上記実施形態２の変形例に限定されるものではなく、当該変形例で示した構成と実質的に同一の構成、同一の作用効果を奏する構成又は同一の目的を達成することができる構成で置き換えてもよい。
【０１２６】
例えば、上記変形例においては、主にスピーカの接続に関して説明したが、上記変形例１及び変形例２と同様に、機器の接続についても接続関係が一致しているか否か等を判定するように構成してもよい。また、上記においては、携帯端末４００側でスピーカ位置を検出する構成について説明したが、上記変形例において、実施形態２と同様にスピーカの検出をＡＶレシーバ１００側で行うように構成してもよい。更に、上記においては、スピーカを含めた機器を入力等する場合について説明したが、スピーカのみを入力し、スピーカの接続を検出等するように構成してもよい。
【０１２７】
なお、請求の範囲における接続検出装置は、機器等の接続を検出する機能を有する装置に相当する、つまり、当該接続検出装置は、例えば、ＡＶレシーバ１００で接続を検出する場合には、ＡＶレシーバ１００に相当し、携帯端末４００で接続を検出する場合には、携帯端末４００に相当する。また、特許請求の範囲における接続態様の設定は、例えば、上記本体設定情報を含む。
【０１２８】
上記のように、本発明のある側面は、互いに通信する接続検出装置、及び情報処理装置、からなる接続確認システムであって、前記情報処理装置は、前記接続検出装置に接続されるべき機器の接続態様に関する設定入力を受け付ける受付部、を備え、前記接続検出装置は、実際に接続された機器の接続態様を検出する検出部、を備え、前記検出部が検出した実際の接続態様、及び前記受付部で受け付けられた設定に示す接続態様、の相違を判断する判断部、を前記接続検出装置又は前記情報処理装置に備え、前記情報処理装置は、前記判断部の判断結果に基づいて表示を行う表示部、を備える。
【０１２９】
接続検出装置は、例えば、チャンネル毎にオーディオ信号をスピーカに出力する音響処理装置であり、前記接続態様は、音響処理装置と前記スピーカとの接続の態様であり、前記検出部は、前記スピーカにテスト音のオーディオ信号を出力し、マイクで前記テスト音を収音することにより、各チャンネル及び各スピーカの実際の接続態様を検出する。
【０１３０】
情報処理装置は、例えば、受付部としてマウス及びキーボードを備えたコンピュータ、並びに、受付部及び表示部としてタッチパネル付き表示器を備えた携帯端末であり、後述する接続確認プログラムを含む各種アプリケーションプログラムを実行する。
【０１３１】
接続検出装置への接続とは、ケーブルを介した物理的な接続に限らず、２台の機器間で直接的に無線通信する接続も含む。無線通信とは、例えば無線ＬＡＮ及びＢｌｕｅｔｏｏｔｈ（登録商標）通信である。接続態様とは、例えば、接続検出装置の各コネクタへの機器の接続の有無、及び接続された機器の台数である。
【０１３２】
例えば、従来の音響処理装置は、実際に接続されたスピーカを自動検出し、電源ボタン及び音量変更ツマミやカーソルキーのみで利用者の操作入力を受け付け、操作入力内容及びスピーカの検出結果をテレビ等に表示させるものが多い。従って、従来の音響処理装置は、利用者が所望とする接続態様の入力を求めず、スピーカの検出結果の表示、及び、より少ない操作入力での操作の完了、に特化したシンプルなユーザーインターフェースを実現している。しかしながら、従来の音響処理装置は、シンプルなユーザーインターフェースを実現しているため、表示内容や入力方法が限られており、利用者が所望するスピーカ接続態様を直接的に受け付けることが難しく、かつ、実際のスピーカの検出結果と、利用者の所望とするスピーカ接続態様と、の相違を表示することが難しい。
【０１３３】
その結果、利用者は、誤った接続状態のまま使用してしまい、従来の音響処理装置が有する音響効果を十分に発揮させないままとしてしまう。特に音響処理装置に不慣れな利用者にとっては、誤った接続状態のままで音響処理装置を使用してしまうことが多い。
【０１３４】
そこで、本発明のある側面における接続確認システムは、音量変更等の入力に限らず、利用者が所望とする接続態様を受け付けることが可能なインターフェースを、受付部を備える情報処理装置で実現する。そして、表示部は、利用者の所望とする音響処理装置の接続態様と、音響処理装置が検出した実際の接続態様との相違に基づいた表示を行うことで、利用者に当該相違を確認させることができる。
【０１３５】
表示部は、音響処理装置に備えられてもよいが、情報処理装置に備えられることが望ましい。表示部が情報処理装置に備えられる場合、本発明のある側面における接続確認システムは、利用者が所望とする接続態様の設定入力、並びに、利用者が所望とする接続態様及び検出された実際の接続態様の相違に基づいた表示が、１台の情報処理装置で実現され、より利用者に当該相違を確認させやすくすることができる。
【０１３６】
より具体的には、利用者が所望とする接続態様の入力、並びに、利用者が所望とする接続態様及び検出された実際の接続態様の相違に基づいた表示は、情報処理装置によって実行される接続確認プログラムによって実現される。
【０１３７】
情報処理装置によって実行される接続確認プログラム、及び接続検出装置（音響処理装置）を用い、かつサラウンドバックスピーカを含めた７チャンネルのサラウンドサウンド（ＦＬ，ＦＲ，Ｃ，ＳＬ，ＳＲ，ＳＢＬ，及びＳＢＲチャンネル）で音場を生成することを利用者が望んでいる例で説明する。この例において、利用者がサラウンドバックスピーカを用いる設定入力を接続確認プログラムに対して行い、かつサラウンドバックスピーカを誤って音響処理装置のプレゼンススピーカ用コネクタに接続すると、音響処理装置は、プレゼンススピーカが接続されていると検出する。音響処理装置は、検出結果に示す接続態様（サラウンドバックスピーカの接続無し、かつプレゼンススピーカの接続有り）と、設定に示す接続態様（サラウンドバックスピーカの接続有り、かつプレゼンススピーカの接続無し）との相違に基づいて情報処理装置が表示を行う。
【０１３８】
ただし、設定に示す接続態様と、検出結果に示す接続態様と、の相違は、スピーカ接続の有無に限らず、例えば、接続コネクタ誤り及び余分な接続（設定したチャンネル数よりも多くのチャンネル数のスピーカを検出した場合）も含まれる。
【０１３９】
本発明のある側面における接続確認システムは、自動的に接続の設定を補正せず、利用者に所望の接続態様（設定に示す接続態様）と、実際の接続態様との相違を確認させることができる。これにより、利用者は、実際の接続に誤りがあるか否かを確認することができ、所望の接続態様となるように接続を修正することができる。
【０１４０】
以上のように、本発明のある側面における接続確認システムでは、利用者は容易に所望通りの接続態様にすることができる。
【０１４１】
本発明は、接続確認システムに限らず、情報処理装置によって実行される接続確認プログラムであってもよい。すなわち、接続確認プログラムは、例えば、情報処理装置に実行されるものであって、接続検出装置に接続されるべき機器の接続態様に関する設定入力を受け付ける受付ステップと、前記接続検出装置が自装置に実際に接続された機器の接続態様を検出した結果である検出結果を取得する取得ステップと、前記受付ステップで受け付けた設定に示す接続態様、及び前記取得ステップで取得した実際の接続態様、の相違を判断する判断ステップと、前記判断ステップの判断結果に基づいて表示を行う表示ステップと、を前記情報処理装置に実行させる。
【０１４２】
さらには、本発明は、接続確認方法であってもよい。本発明の接続確認方法は、例えば、接続検出装置、及び情報処理装置を用いて実行するものであって、前記接続検出装置に接続されるべき機器の接続態様に関する設定入力を前記情報処理装置に受け付ける受付ステップと、前記接続検出装置に実際に接続された機器の接続態様を検出する検出ステップと、前記受付ステップが受け付けた設定に示す接続態様、及び前記検出ステップが検出した実際の接続態様、の相違を判断する判断ステップと、前記判断ステップの判断結果に基づいて表示を行う表示ステップと、を実行する。
【０１４３】
また、本発明は、接続確認システムに限らず、接続検出装置であってもよい。具体的には、例えば、本発明の接続検出装置は、操作入力を受け付ける受付部を備えた情報処理装置と通信する通信部と、自装置に接続されるべき機器の接続態様に関する設定を前記情報処理装置から取得する取得部と、前記自装置に実際に接続された機器の接続態様を検出する検出部と、前記検出部が検出した実際の接続態様、及び前記取得部が取得した設定に示す接続態様、の相違を判断する判断部と、前記判断部の判断結果に基づいて表示を行う表示部、を備える。
【０１４４】
また、前記取得部は、前記接続検出装置に間接的に接続されるべき機器の接続態様に関する設定を前記情報処理装置から取得し、前記検出部は、前記接続検出装置に間接的に実際に接続された機器の接続態様を検出し、前記判断部は、前記取得部が取得した設定に示す間接的に接続されるべき機器の接続態様、及び前記検出部が検出した前記接続検出装置に間接的に実際に接続された機器の接続態様、の相違を判断してもよい。
【０１４５】
この態様では、利用者は、接続検出装置を親機とし、接続検出装置に接続される機器を子機として接続を行う。子機には、さらに孫機が接続される。取得部は、子機と孫機の接続について、実際の接続態様を検出する。これにより、利用者は、親機と子機の接続態様だけでなく、子機と孫機を含めた接続態様についても、容易に所望通りの接続態様にすることができる。
【０１４６】
この発明によれば、利用者は、情報処理装置が受付部を備えるため、接続検出装置に接続された機器の接続態様について設定入力を行うことができ、かつ表示部が設定に示す接続態様及び実際の接続態様の相違に基づいて表示を行うため、接続設定に誤りがあるか否かを確認することができる。
【０１４７】
また、本発明のある側面は、接続された機器の接続態様について、利用者が所望とする接続態様との相違を検出し、報知することができる接続確認システム、接続確認プログラム、接続確認方法、及び接続検出装置を提供することを目的とする。利用者がサラウンドバックスピーカを用いる設定入力を情報処理装置に行い、かつサラウンドバックスピーカを誤って音響処理装置のプレゼンススピーカ用コネクタに接続すると、接続検出装置である音響処理装置は、プレゼンススピーカが接続されていると検出する。音響処理装置は、検出結果に示す接続態様（サラウンドバックスピーカの接続無し、かつプレゼンススピーカの接続有り）と、設定に示す接続態様（サラウンドバックスピーカの接続有り、かつプレゼンススピーカの接続無し）との相違に基づいた表示を行う。その結果、利用者は、実際の接続に誤りがあることを確認することができる。
【図１】
2015182597.tif 000003
【図２】
2015182597.tif 000004
【図３】
2015182597.tif 000005
【図４】
2015182597.tif 000006
【図５】
2015182597.tif 000007
【図６】
2015182597.tif 000008
【図７】
2015182597.tif 000009
【図８】
2015182597.tif 000010
【図９】
2015182597.tif 000011
【図１０】
2015182597.tif 000012
【図１１】
2015182597.tif 000013
【図１２】
2015182597.tif 000014
【図１３】
2015182597.tif 000015
【図１４】
2015182597.tif 000016
【図１５】
2015182597.tif 000017
【図１６】
2015182597.tif 000018
【図１７】
2015182597.tif 000019
【国際調査報告】
2015182597.tif 000020
2015182597.tif 000021
2015182597.tif 000022
2015182597.tif 000023